(57)【要約】【課題】  発生する蒸気などから収納物を保護できる食品用の容器を提供する。【解決手段】  容器本体１と蓋１１の両周縁部に互いに対面可能な鍔部４，１４を形成し、蓋の天面１２を、その中央部を頂部１２aとし、対向両側縁部に向かって下り傾斜面として形成し、鍔部４に周方向に断続する凸部５を形成し、これと対向するように鍔部１４に凸部１５を形成し、閉蓋して凸部同士が接合した状態で両鍔部間に空隙が維持できるようにし、かつ、凸部間の両鍔面に容器内側に向かって拡開する傾斜面６ａ、１６ａを有した凹部６，１６を対向状に形成し、蓋の天面には、頂部から下り傾斜面の下り方向に沿った凹凸条のリブを形成した。【選択図】      図１
0003108145.tif 000002
【実用新案登録請求の範囲】
【請求項１】
容器本体と蓋の両周縁部に互いに対面可能な鍔部を形成してなる容器であって、蓋の天面を、その中央部を頂部とし、頂部から対向両側縁部に向かって下り傾斜面として形成し、容器本体の鍔部に周方向に断続する凸部を形成し、閉蓋状態において容器本体の上記凸部に対向するように、蓋の鍔部に凸部を形成し、凸部同士が接合した状態において凸部外の両鍔部間に空隙を維持して閉蓋できるようにした構成を有する包装用容器。
【請求項２】
凸部は鍔面の内側寄り部位に形成してなる請求項１に記載の包装用容器。
【請求項３】
凸部間の鍔面に容器内側に向かって拡開する傾斜面を有した凹部を、容器本体と蓋の両鍔部に対向状に形成してなる請求項１又は２に記載の包装用容器。
【請求項４】
蓋の天面に、頂部から下り傾斜面の下り方向に沿った凹凸条のリブを形成してなる請求項１〜３のいずれかに記載の包装用容器。
【考案の詳細な説明】
【技術分野】
【０００１】
本考案は、たこ焼きなど蒸気の出やすい食品に特に好適な包装用容器に関する。
【背景技術】
【０００２】
収納物を水分から守る容器として、吸湿性素材で容器を成形するか、容器の底面乃至は蓋面に排水孔を形成した容器とするなどが知られている。
【考案の開示】
【考案が解決しようとする課題】
【０００３】
しかしながら、上記のような容器では、コスト高となり、或いは吸水による濡れによって収納物の接触面を劣化させ、また、水分が必ずしも容器外に排出されずに容器内に溜まるおそれがあり、或いは伝い出や落下した水分が周囲を汚すおそれなどがあった。
本考案は、収納物を、そこから発生する蒸気、水分或いはガスなどから保護することを目的に、従来容器とは異なる視点から独自の構成を具備させてなる包装用容器を提供せんとするものである。
【課題を解決するための手段】
【０００４】
上記課題を解決するために、本考案は、容器本体と蓋の両周縁部に互いに対面可能な鍔部を形成してなる容器であって、蓋の天面を、その中央部を頂部とし、頂部から対向両側縁部に向かって下り傾斜面として形成し、容器本体の鍔部に周方向に断続する凸部を形成し、閉蓋状態において容器本体の上記凸部に対向するように、蓋の鍔部に凸部を形成し、凸部同士が接合した状態において凸部外の両鍔部間に空隙を維持して閉蓋できるように構成して、包装用容器としたことを特徴とする。
上記凸部は鍔面の内側寄り部位に形成するのが好ましい。また、上記凸部間の鍔面には、容器内側に向かって拡開する傾斜面を有した凹部を、容器本体と蓋の両鍔部に対向状に形成するのが好ましい。
蓋の天面には、頂部から下り傾斜面の下り方向に沿った凹凸条のリブを形成するのが好ましい。
【考案を実施するための最良の形態】
【０００５】
以下、本考案に係る実施の一例を図面によって説明する。
本考案に係る容器は、容器本体１と蓋１１とからなり、材質は問わないが、好ましくはＰＥＴなどの透明プラスチックシートを圧空真空成形など熱成形して一体成形し、一側部に形成したヒンジ部１０を介して開閉自在としてある。
【０００６】
容器本体１は、底面２と周側面３とにより適宜容器形状となるように形成するとともに、周側面３の上周縁を外折れさせて、略々水平状の鍔部４を形成し、この鍔部４の周方向に適宜間隔を置きつつ、全周に亘って間欠的に配置するように、周方向に適宜長さを有しかつ上方に若干高さ突出した凸部５を一体形成し、各凸部間は平坦状の鍔面としてある。
【０００７】
凸部５は鍔の全幅に亘って鍔面を凹凸させるように形成してもよいが、容器内側から鍔幅の半分強の幅として、凸部を鍔面内側寄り部位に形成するのが好ましく、これにより鍔部に強度を持たせ、凸部を安定して成形でき、鍔部の外周縁に裂け目や切り込み、引っ掛かり角などが出てしまうおそれもなく、鍔部外側縁を凹凸のない連続縁面状態でぐるり形成し、安全な容器とすることができる。凸部間の適宜箇所には、鍔面に容器内側に向かって下り傾斜して拡開する傾斜面６aを有した凹部６を形成してある。
【０００８】
蓋１１は、天面１２と周側面１３とにより上記容器本体に閉蓋し得る適宜蓋形状となるように形成し、天面１２は、天面中央（中心）部を頂部１２aとし、図２，３に示す如くこの頂部から対向両側縁部好ましくは蓋の短手幅両側縁部に向かって若干の下り傾斜面として形成するとともに、周側面１３の下周縁を外折れさせて、略々水平状の鍔部１４を形成してある。
【０００９】
この鍔部１４の周方向には適宜間隔を置きつつ、上記容器本体１の凸部５と対向し、閉蓋状態において図２に示す如く該凸部５と接合可能なように、鍔面下方に突出した凸部１５を一体形成し、閉蓋状態において両鍔部４，１４の鍔面間に間隙が維持されるようにしてある。両凸部５，１５の突起程度は、両鍔部間に若干の間隙を作り、外から異物が容器内に入り難いように、両鍔部間の間隙を必要以上に空けない程度に設定するのが好ましい。閉蓋状態において鍔部外縁部間の間隙が、例えば１〜５ｍｍ程度となるように設定するのが好ましい。
【００１０】
凸部１５間において、上記容器本体の凹部６と対向する部位には、該凹部６と対向形状であって、容器内側に向かって上り傾斜して拡開する傾斜面１６aを有した凹部１６を形成し、閉蓋状態において、図３に示すように、両凹部６，１６間に鍔外縁から容器内方に向かって拡開する間隙が形成できるようにしてある。
なお、上記凸部５，１５には、図示していないが、閉蓋状態を維持し得るように凹凸或いは逆テーパ状の係合部を形成しておくことができる。
【００１１】
容器本体１及び蓋１１には適宜箇所に適宜リブを形成することができる。
蓋１１の天面１２には、例えば、頂部１２aを通して図示では蓋の短手幅両側縁部に向かう下り傾斜面に沿った図４の如き凹凸状のリブ１２bを複数条形成すれば、付着した水滴などが両縁部に向かって伝いやすくなるので好ましい。
容器本体１の底面２には、例えば、底面に収納物がべったりと付いてしまわないように、底主体となるように設けた凹凸条リブ２aと適宜間隔ごとに設けた凹溝リブ２bとを並列させて形成するのが好ましい。少なくともリブ２aは周側面上部まで連続形成するのが好ましい。
【００１２】
上記構成の容器を用いれば、たこ焼き、その他蒸気や水分、ガスなどの出やすい食品などの収納物を収納するのに好適であり、持ち帰りその他の運搬、店頭展示などにおいて収納物を損傷させることなく、良好な状態に保つことができる。
蓋の天面の中央部を頂部とし、両側縁部に向かって天面を下り傾斜して形成してあるので、容器内に生じた蒸気などは蓋の天面から両側縁方向に流れやすくなり、天面に傾斜方向に沿うリブなどがあればさらに流れやすくなり、収納物が損傷し難くなる。両側縁部に流れた蒸気、或いは収納物から発生した蒸気などは、閉蓋状態であっても、容器本体と蓋の鍔部間に形成されている間隙から容器外に放出され、また、鍔部の凹部によって内側拡大して形成された間隙部分によって、外への放出が促されるので、蒸気などの閉じ篭りがなく、水滴が生じて収納物が濡れるおそれをなくし、収納物の損傷を防ぐことができる。天面の傾斜、傾斜方向のリブ、鍔部間隙、凹部間隙などが相関して作用し得るので、一層好ましい効果を奏する。しかも間隙は不衛生とならない程度であって実用性を維持することができる。
容器本体底面をリブ底面とすれば、底面に生じやすい水分から収納物を保護できるので、前記効果を一層高めることができる。
【図面の簡単な説明】
【００１３】
【図１】本考案に係る容器の開蓋状態の斜視略図である。
【図２】図１の容器を閉蓋した状態の正面縦断面図である。
【図３】閉蓋容器の凹部位置を切断した正面縦断面図である。
【図４】図１のＩＶ−ＩＶ線の天面部分切断部端面図である。
【図５】図１のＶ−Ｖ線の底面部分切断部端面図である。
【符号の説明】
【００１４】
１      容器本体
２      底面
２ａ，２ｂ  リブ
３      周側面
４      鍔部
５      凸部
６      凹部
６ａ    傾斜面
１０    ヒンジ部
１１    蓋
１２    天面
１２ａ  頂部
１２ｂ  リブ
１３    周側面
１４    鍔部
１５    凸部
１６    凹部
１６ａ  傾斜面
【図１】
0003108145.tif 000003
【図２】
0003108145.tif 000004
【図３】
0003108145.tif 000005
【図４】
0003108145.tif 000006
【図５】
0003108145.tif 000007